(57)【特許請求の範囲】
【請求項１】
微小物体が遮蔽物体の背後に配置され、所定方向の観察では微小物体は遮蔽物体で遮蔽されて観察できず、その所定方向と異なる別の方向から微小物体が観察可能に記録されているホログラムから微小物体を観察可能にするホログラム読取装置であって、
上端と下端が開口した筒状の遮光性筐体を備え、前記遮光性筐体内の前記下端から所定距離離間して中心に観察穴が設けられた照明用基板が前記下端と略平行に取り付けられており、前記上端の開口には前記観察穴を通して前記下端の開口に面して配置されたホログラムからのホログラム再生像を拡大観察可能とするための拡大レンズが装着されており、前記照明用基板の前記観察穴外の下面には、可視光の点光源のアレイが配置され、前記点光源のアレイ中の任意の点光源が選択的に点灯可能に構成されていることを特徴とするホログラム読取装置。
【請求項２】
微小物体が遮蔽物体の背後に配置され、所定方向の観察では微小物体は遮蔽物体で遮蔽されて観察できず、その所定方向と異なる別の方向から微小物体が観察可能に記録されているホログラムから微小物体を観察可能にするホログラム読取装置であって、
上端と下端が開口した筒状の遮光性筐体を備え、前記遮光性筐体内の前記下端から所定距離離間して中心に観察穴が設けられた照明用基板が前記下端と略平行に取り付けられており、前記上端の開口には前記観察穴を通して前記下端の開口に面して配置されたホログラムからのホログラム再生像を拡大観察可能とするための拡大レンズが装着されており、前記照明用基板の前記観察穴外の下面には、単数又は複数の可視光の点光源が前記照明用基板の前記観察穴外の下面に沿って移動可能に配置されていることを特徴とするホログラム読取装置。
【請求項３】
前記点光源のアレイが前記観察穴の周に接する方向に伸びる１本の直線状のものであることを特徴とする請求項１記載のホログラム読取装置。
【請求項４】
前記点光源のアレイが前記観察穴の周に接する方向に伸びる２本の直線状のものであることを特徴とする請求項１記載のホログラム読取装置。
【請求項５】
前記点光源のアレイが前記観察穴の周に接する方向に伸びる１本又は複数本の直線状のものと前記観察穴の径方向に伸びる１本又は複数本の直線状のものであることを特徴とする請求項１記載のホログラム読取装置。
【請求項６】
前記点光源のアレイが前記観察穴の周囲に配置された円形のものであることを特徴とする請求項１記載のホログラム読取装置。
【請求項７】
前記点光源のアレイが前記観察穴の周囲に配置された長方形のものであることを特徴とする請求項１記載のホログラム読取装置。
【請求項８】
前記点光源は白色発光ダイオードからなることを特徴とする請求項１から７の何れか１項記載のホログラム読取装置。
【請求項９】
前記遮光性筐体は下端に平行な断面が略円状のものであることを特徴とする請求項１から８の何れか１項記載のホログラム読取装置。
【請求項１０】
前記遮光性筐体は下端に平行な断面が矩形のものであることを特徴とする請求項１から８の何れか１項記載のホログラム読取装置。
【請求項１１】
前記遮光性筐体の外面の所定位置に方向決めマークが設けられていることを特徴とする請求項１から１０の何れか１項記載のホログラム読取装置。
【請求項１２】
前記観察穴外の前記照明用基板の下方には、可視光下では不可視で赤外光による励起で可視化する情報を可視化するための赤外光光源が配置されていることを特徴とする請求項１から１１の何れか１項記載のホログラム読取装置。
【発明の詳細な説明】
【技術分野】
【０００１】
本発明は、ホログラム読取装置に関し、さらに詳しくは、通常の観察状態では観察困難な真贋判定情報が記録されたホログラムの読取装置に関するものである。
【背景技術】
【０００２】
特許文献１に、真贋判定情報が通常の観察状態では観察困難に記録され、偽造防止効果が高いホログラムが提案されている。この真贋判定情報が記録されたホログラムによると、真贋判定情報である微小物体が、裸眼で認識容易な大きさの遮蔽物体の背後に配置され、所定方向の観察では真贋判定情報は遮蔽物体で遮蔽されて観察できず、その所定方向と異なる別の方向から観察可能に記録されているので、真贋判定情報の存在が気付かれ難く、さらに、ルーペ等の拡大観察手段で拡大して観察しても、通常の観察方向である所定方向からは真贋判定情報の存在が気付かれ難くいので、真贋判定情報の秘匿性が極めて高く、偽造防止効果が高いものである。また、特許文献１には、ホログラムと、そのホログラムに記録された真贋判定情報を拡大観察するカメラとを固定配置して、ホログラムに再生照明光を照射する照明装置を相対的に移動可能に配置して、真贋判定情報を観察可能にできる真贋判定情報確認システムも開示されている。
【０００３】
一方、本出願人が出願した特願２００５−７１２６号には、赤外光で励起され、可視蛍光を発光する材料を用いた情報記録媒体の蛍光体読取装置が開示されている。
【特許文献１】特開２００３−２２８２７０号公報
【発明の開示】
【発明が解決しようとする課題】
【０００４】
しかしながら、特許文献１に記載された真贋判定情報確認システムにおいて、具体的な照明装置の構成配置及びその移動機構等については何ら示されていない。
【０００５】
本発明は従来技術のこのような状況に鑑みてなされたものであり、その目的は、真贋判定情報の微小物体が遮蔽物体の背後に配置され特定の方向からしかその微小物体が観察できないホログラムの読取装置を提供することである。
【課題を解決するための手段】
【０００６】
上記目的を達成する本発明のホログラムの読取装置は、微小物体が遮蔽物体の背後に配置され、所定方向の観察では微小物体は遮蔽物体で遮蔽されて観察できず、その所定方向と異なる別の方向から微小物体が観察可能に記録されているホログラムから微小物体を観察可能にするホログラム読取装置であって、
上端と下端が開口した筒状の遮光性筐体を備え、前記遮光性筐体内の前記下端から所定距離離間して中心に観察穴が設けられた照明用基板が前記下端と略平行に取り付けられており、前記上端の開口には前記観察穴を通して前記下端の開口に面して配置されたホログラムからのホログラム再生像を拡大観察可能とするための拡大レンズが装着されており、前記照明用基板の前記観察穴外の下面には、可視光の点光源のアレイが配置され、前記点光源のアレイ中の任意の点光源が選択的に点灯可能に構成されていることを特徴とするものである。
【０００７】
本発明のもう１つのホログラムの読取装置は、微小物体が遮蔽物体の背後に配置され、所定方向の観察では微小物体は遮蔽物体で遮蔽されて観察できず、その所定方向と異なる別の方向から微小物体が観察可能に記録されているホログラムから微小物体を観察可能にするホログラム読取装置であって、
上端と下端が開口した筒状の遮光性筐体を備え、前記遮光性筐体内の前記下端から所定距離離間して中心に観察穴が設けられた照明用基板が前記下端と略平行に取り付けられており、前記上端の開口には前記観察穴を通して前記下端の開口に面して配置されたホログラムからのホログラム再生像を拡大観察可能とするための拡大レンズが装着されており、前記照明用基板の前記観察穴外の下面には、単数又は複数の可視光の点光源が前記照明用基板の前記観察穴外の下面に沿って移動可能に配置されていることを特徴とするものである。
【０００８】
第１のホログラムの読取装置において、前記点光源のアレイが前記観察穴の周に接する方向に伸びる１本の直線状のものであってもよく、あるいは、前記観察穴の周に接する方向に伸びる２本の直線状のものであってもよく、あるいは、前記観察穴の周に接する方向に伸びる１本又は複数本の直線状のものと前記観察穴の径方向に伸びる１本又は複数本の直線状のものであってもよく、あるいは、前記観察穴の周囲に配置された円形のものであってもよく、あるいは、前記観察穴の周囲に配置された長方形のものであってもよい。
【０００９】
また、本発明のホログラムの読取装置において、前記点光源は例えば白色発光ダイオードから構成してもよい。
【００１０】
また、前記遮光性筐体は下端に平行な断面が略円状のものであっても、矩形のものであってもよい。
【００１１】
また、前記遮光性筐体の外面の所定位置に方向決めマークが設けられていることが望ましい。
【００１２】
また、前記観察穴外の前記照明用基板の下方には、可視光下では不可視で赤外光による励起で可視化する情報を可視化するための赤外光光源が配置されているように構成してもよい。
【発明の効果】
【００１３】
本発明のホログラム読取装置によれば、遮蔽物体の背後に配置され真贋判定情報の役割をする微小物体が記録されたホログラムを、微小物体が観察可能となるような方向から照明する照明光を配置すると共に、遮光性筐体により周囲の光を遮光し、照明光によって再生された真贋判定情報のホログラム像を拡大観察可能に拡大レンズが設置されたホログラム読取装置が提供されるため、真贋判定情報が目視で容易に安定して観察可能となる。
【発明を実施するための最良の形態】
【００１４】
以下に、本発明のホログラム読取装置の原理と実施例を説明する。
【００１５】
まず、特許文献１で提案されている真贋判定情報が記録されたホログラムの概略を説明し、次に本発明のホログラム読取装置の原理を説明する。図１は、特許文献１で提案されている真贋判定情報が記録されたホログラムの１例の作用を示す図であり、図１（ａ）は上側から見た図、図１（ｃ）は右側から見た図である。このホログラム１０に左右方向（図１（ａ））では正面方向から、上下方向（図１（ｂ））では法線に対して上方から角度θをなして再生照明光１を入射させると、ホログラム１０からの回折光２は正面方向を中心に回折され、裸眼で認識容易な大きさの遮蔽物体１２はホログラム１０の前方に、真贋判定情報である微小物体１１はホログラム１０の後方に再生されるが、微小物体１１は遮蔽物体１２の背後に位置しているため、正面方向に位置する観察眼Ｅでは、微小物体１１は遮蔽物体１２で遮蔽されて観察できず、観察眼Ｅを例えば左右何れかの方向へ移動させると、遮蔽物体１２の陰から微小物体１１が現れ観察可能となる。
【００１６】
その代わりに、図１（ａ）に示すように、再生照明光１の入射方向を上下方向では変えずに、左右方向に法線に対する角度φを変化させると、回折光２の回折方向も左右の反対側に法線に対して略角度φだけ変化し、微小物体１１と遮蔽物体１２の再生位置もずれる。ホログラム１０の前方（手前側）に位置する遮蔽物体１２は再生照明光１の移動方向とは反対方向に、ホログラム１０の後方（奥側）に位置する微小物体１１は再生照明光１の移動方向と同じ方向に移動する。その結果、遮蔽物体１２と微小物体１１の左右方向での相対位置が変化し、ホログラム１０の正面方向に位置する観察眼Ｅで、微小物体１１が遮蔽物体１２で遮蔽されないで見えるようになる。
【００１７】
ホログラム１０としては、凹凸面又は背面に反射層を設けた反射型のレリーフホログラムとして、あるいは、反射型の体積ホログラムとして作成されるが、反射型のレリーフホログラムの場合、白色光あるいはインコヒーレント光での再生が可能になるようにレインボーホログラムとして構成される。反射型の体積ホログラムとして作成される場合は、遮蔽物体１２と微小物体１１の相対位置情報は左右方向だけでなく上下方向にも記録されているため、再生照明光１を上下方向に移動させても、同様に微小物体１１が遮蔽物体１２で遮蔽されないで正面方向の観察眼Ｅで見えるようになる。しかし、レインボーホログラムとして作成される場合は、立体情報としては左右方向だけしか記録されていないため、再生照明光１を上下方向に移動させては、微小物体１１が見えるようにはならない。
【００１８】
さて、以上のような原理を実現するための本発明のホログラム読取装置の実施例を説明する。図２はホログラム読取装置の概略外観図、図３はホログラム読取装置の鉛直方向断面図である。本発明のホログラム読取装置２０は、図２の外観図に示すように、読取装置本体部２１に制御装置２６が接続コード２７により接続された構成になっている。読取装置本体部２１は、上端２２ｕ、下端２２ｄが開口した筒状の遮光性筐体２２の内部に、下端２２ｄから所定距離離間して中心に観察穴２４が設けられた照明用基板２３が下端２２ｄと略平行に取り付けられており、上端２２ｕの開口にはホログラム再生像を拡大観察可能とするための拡大レンズ２５が装着されている。遮光性筐体２２は、その外形が略円筒状に形成されていても、截頭した円錐状体、あるいは多面柱状体等に形成されていてもよい。その遮光性筐体２２の外面の所定位置に、読取装置の方向をホログラム１０に対して合わせやすくする方向決めマーク２８が設けられている。そして、このようなホログラム読取装置２０を用いてホログラム１０からのホログラム再生像を拡大観察可能にするために、遮光性筐体２２の下端２２ｄの開口に、例えば基材３１表面に上記のような真贋判定情報が記録されたホログラム１０が支持されてなる情報記録媒体３０を、ホログラム１０が下端２２ｄの開口内に位置するように接触させる。
【００１９】
次に、照明用基板２３に配置された照明光源について説明する。図４は、照明用基板２３だけを取り出して下端２２ｄ側から見た図であり、照明用基板２３の外形は遮光性筐体２２の内形に合うように形成されるが、ここでは簡単のため矩形で示してある。照明用基板２３の中央には観察穴２４が設けられており、その観察穴２４の上縁近傍に白色ＬＥＤ等の複数の点光源２９1 、２９2 、・・・・２９n からなる直線状の点光源アレイ４０が配置されている。この点光源アレイ４０の方向は、方向決めマーク２８をホログラム１０の上方向に合わせて情報記録媒体３０を観察するとき、左右の横方向に一致するように照明用基板２３が遮光性筐体２２内に取り付けられている。この点光源アレイ４０の観察穴２４の中心からの距離は、点光源アレイ４０中の中心の点光源２９c を点灯したとき、図１の実線の位置に微小物体１１と遮蔽物体１２が再生されるように、すなわち、点光源２９c からの光がホログラム１０の法線に対して上方から角度θをなして入射する再生照明光１となるような距離とする。
【００２０】
このような点光源２９1 、２９2 、・・・・２９n の点光源アレイ４０を横方向に配置して、そのアレイの点光源２９1 、２９2 、・・・・２９n を右から左へあるいは左から右へ順に、あるいは、点光源アレイ４０の左端又は右端近傍の点光源を選択的に点灯することにより、遮蔽物体１２に隠れている真贋判定情報である微小物体１１が拡大レンズ２５を経て拡大されて正面から読み取ることができるようになる。
【００２１】
ところで、ホログラム１０中に異なる入射角の複数の再生照明光で再生される複数の遮蔽物体１２と微小物体１１の組が記録されている場合がある。その様子を図５に示す。図５（ａ）はホログラム１０を上側から見た図、図５（ｂ）は一方の再生照明光１1 で再生されるホログラム部分を右側から見た図、図５（ｃ）は他方の再生照明光１2 で再生されるホログラム部分を右側から見た図である。一方の再生照明光１1 は法線に対して上方から角度θ1 をなしてホログラム１０に入射させると、ホログラム１０からの回折光２1 が正面方向を中心に回折されて、遮蔽物体１２1 をホログラム１０の前方に、微小物体１１1 をホログラム１０の後方に、微小物体１１1 が遮蔽物体１２1 の背後に位置するように再生される。他方の再生照明光１2 は法線に対して上方から上記角度θ1 とは異なる角度θ2 （ここでは、θ2 ＞θ1 ）をなしてホログラム１０に入射させると、ホログラム１０からの回折光２2 が正面方向を中心に回折されて、別の遮蔽物体１２2 をホログラム１０の前方に、別の微小物体１１2 をホログラム１０の後方に、微小物体１１2 が遮蔽物体１２2 の背後に位置するように再生される。
【００２２】
このようなホログラム１０の真贋判定情報である微小物体１１1 、１１2 を正面から観察可能にするためには、図６に示すように、照明用基板２３の観察穴２４の上縁近傍に２列に平行に点光源アレイ４０1 、４０2 を配置する。この点光源アレイ４０1 、４０2 の方向は、図４の点光源アレイ４０と同じ左右の横方向とし、一方の点光源アレイ４０1 の観察穴２４の中心からの距離は、そのアレイの中心の点光源を点灯したとき、図５（ｂ）の配置の微小物体１１1 と遮蔽物体１２2 が再生されるような距離とし、他方の点光源アレイ４０2 の観察穴２４の中心からの距離は、そのアレイの中心の点光源を点灯したとき、図５（ｃ）の配置の微小物体１１2 と遮蔽物体１２2 が再生されるような距離とする。
【００２３】
このような点光源アレイ４０1 、４０2 の何れかの点光源を右から左へあるいは左から右へ順に、あるいは、点光源アレイ４０1 、４０2 の何れかの左端又は右端近傍の点光源を選択的に点灯することにより、遮蔽物体１２1 又は１２2 に隠れている真贋判定情報である微小物体１１1 又は１１2 が拡大レンズ２５を経て拡大されて正面から読み取ることができるようになる。また、点光源アレイ４０1 、４０2 の両方の点光源を右から左へあるいは左から右へ順に、あるいは、点光源アレイ４０1 、４０2 の両方の左端又は右端近傍の点光源を選択的に点灯することにより、遮蔽物体１２1 及び１２2 に隠れている真贋判定情報である微小物体１１1 及び１１2 が同時に拡大レンズ２５を経て拡大されて正面から読み取ることができるようになる。なお、点光源アレイ４０1 中の点光源と点光源アレイ４０2 中の点光源を同時に点灯させると、再生像が重なって観察され、真贋判定情報が観察し難い場合には、何れか一方の点光源のみを切り換えて点灯可能とすることが望ましい。
【００２４】
ところで、前記したように、ホログラム１０がレインボーホログラムの場合は、立体情報としては左右方向だけしか記録されていないため、真贋判定情報である微小物体１１、１１1 、１１2 を正面から観察可能にするには、照明用基板２３上の点光源アレイ４０、４０1 、４０2 の配置が、図４、図６のように、その立体情報が記録された左右方向にのみ伸びるもので十分であるが、反射型の体積ホログラムとして作成されている場合は、立体情報は左右方向だけでなく上下方向にも記録されているため、再生照明光１を上下方向に移動させても、微小物体１１、１１1 、１１2 を正面から観察可能にすることができる。そのための照明用基板２３上の点光源アレイの配列としては、例えば図７に示すように、点光源アレイ４０1 、４０2 と直交する方向に伸びる別の点光源アレイ４０3 を配置し、この点光源アレイ４０3 の観察穴２４側から外側へ順に、あるいは、点光源アレイ４０3 外側端近傍の点光源を選択的に点灯することにより、遮蔽物体１２、１２1 、１２2 に隠れている真贋判定情報である微小物体１１、１１1 、１１2 を拡大レンズ２５を経て拡大して正面から読み取ることができるようになる。なお、図７の点光源アレイ４０1 、４０2 は、図６の場合と同様にして２種の微小物体１１1 、１１2 を選択的にあるいは同時に読み取るためのものである。
【００２５】
ところで、前記したように、遮光性筐体２２の外面の所定位置に、読取装置の方向をホログラム１０に対して合わせやすくする方向決めマーク２８を設けてあるが、このような目印を設ける代わりに、あるいは、それに加えて、照明用基板２３上に配置する点光源アレイとして、図８に示すように、観察穴２４の周辺に同心に１列あるいは複数列の正方形点光源アレイ４０4 、４０5 を配列することで、ホログラム１０に対する遮光性筐体２２の設置向きの自由度が高まる。この場合、遮光性筐体２２の筐体の外形を、照明の正方形の点光源アレイ４０4 、４０5 の辺の向きに合わせて正方形断面にすると、遮光性筐体２２に対してホログラム１０の向きが合わせやすく望ましい。
【００２６】
また、図９に示すように、観察穴２４の周辺に同心に円形の点光源アレイ４０6 を配列することで、遮光性筐体２２とホログラム１０の向きを合わせる必要がなくなるため望ましい。この場合、真贋判定情報の現れ方が、照明光源列を直線状に配列する場合と比べて若干異なるが、実用上支障はない。
【００２７】
ところで、以上の実施例では、照明用基板２３の下面に設置するホログラム１０照明用の光源としては、白色ＬＥＤ等の複数の点光源２９1 、２９2 、・・・・２９n からなる点光源アレイ４０、４０1 〜４０6 を用い、アレイに沿って点光源２９1 、２９2 、・・・・２９n を順次点灯して点灯位置を選択変更するものであったが、その代わりに１個又は点光源アレイの個数に対応する複数個のＬＥＤ等の点光源を移動制御可能に照明用基板２３の下面に設置して、その１個又は複数個の点光源を照明用基板２３の下面に沿って機械的に移動させることで、ホログラム１０に対して照明用の点光源を所望の位置に移動させて、ホログラム１０の真贋判定情報である微小物体１１1 、１１2 を正面から観察可能にするようにしてもよい。図１０はそのための移動方向の例を示す図であり、図１０（ａ）の例は図４に対応するもので、１個のＬＥＤ等の点光源２９を矢印に示すように移動可能に照明用基板２３の下面に取り付けたものであり、図４の点光源アレイ４０に対応する軌跡に沿って移動させることで、微小物体１１が観察できる。また、図１０（ｂ）の例は図６に対応するもので、２個のＬＥＤ等の点光源２９ａ、２９ｂそれぞれを矢印に示すように移動可能に照明用基板２３の下面に取り付けたものであり、それぞれ図６の点光源アレイ４０1 、４０2 に対応する軌跡に沿って移動させることで、微小物体１１1 、１１2 が観察できる。なお、図１０（ａ）のように１個の点光源２９を設け、図６の点光源アレイ４０1 、４０2 に対応する軌跡に沿ってその１個の点光源２９を移動させることで、２種の微小物体１１1 、１１2 を選択的に読み取り可能にしてもよい。図７〜図９の点光源アレイ４０1 〜４０6 に対応する軌跡に沿って１個又は複数個の点光源２９、２９ａ、２９ｂ・・・を移動させる場合も、図１０（ａ）、（ｂ）と同様である。
【００２８】
なお、１個又は複数個の点光源２９、２９ａ、２９ｂを移動させる位置は、図４、図６〜図９の点光源アレイ４０、４０1 〜４０6 に対応する軌跡上の位置に限定されず、その近傍の領域、及び、各軌跡で挟まれる領域に連続的に移動できるようしてもよい。
【００２９】
ところで、図４、図６〜図９の点光源アレイ４０、４０1 〜４０6 において、点光源２９1 、２９2 、・・・・２９n をアレイに沿って順次点灯するためには、制御装置２６中に例えば図１１に示すようなロータリースイッチ４１を配置して、電源４２からの電圧をこのロータリースイッチ４１を用いて点光源２９1 、２９2 、・・・・２９n に順に切り換えて印加するようにすればよい。もちろん、電子的な切り換えスイッチを用いて順に切り換えて印加するようにしてもよい。
【００３０】
また、図１０の点光源２９、２９ａ、２９ｂを移動させる機構としては、各種の機械的移動機構が使用可能であるが、例示として、単純に直線的な軌跡を描くように１個の点光源２９を移動させるには、図１２（ａ）に示すように、プーリ４３1 、４３2 間に掛け渡されたベルト４４の一点に一体に点光源２９を取り付け、一方のプーリ４３2 を回転させるモータ４５の回転制御によってベルト４４の移動を制御するようにすればよい。また、２次元平面に沿って１個の点光源２９を任意の軌跡に沿って自由に移動させるには、図１２（ｂ）に示すように、Ｘ方向へ移動させるモータ４７ｘとＹ方向へ移動させるモータ４７ｙとによって任意の位置に位置調節可能なＸ−Ｙテーブル４６上の一点に点光源２９を取り付けるようにすればよい。
【００３１】
以上に加え、特願２００５−７１２６号に記載の蛍光体読取装置と同様に、観察穴２４外の照明用基板２３の下方の何れかの位置に、可視光下では不可視で赤外光による励起で可視化する情報を可視化して観察可能にするための赤外光光源を配置してもよい。その例を図１３（ａ）の読取装置の断面図と（ｂ）の照明用基板の斜視図を参照にして説明する。この例では、照明用基板２３の下面のホログラム読み取り用の白色ＬＥＤ等からなる点光源アレイ４０1 、４０2 の内側であって観察穴２４の周囲に、赤外励起光を発光する赤外光発光ＬＥＤ４８を複数個配置し、読取装置本体部２１の下端２２ｄの開口に面して赤外励起光で可視化する蛍光体で描かれた情報を配置して読み取る場合には、可視域の点光源アレイ４０1 、４０2 を消灯し、赤外光発光ＬＥＤ４８を点灯するようにする。
【００３２】
以上、本発明のホログラム読取装置を原理と実施例に基づいて説明してきたが、上記実施例に限定されず種々の変形が可能である。また、本発明のホログラム読取装置は目視で拡大観察せずにテレビカメラで拡大観察できるようにすることもできる。そのためには、遮光性筐体２２の上端２２ｕに拡大レンズ２５を装着したまま、あるいは、拡大レンズ２５を外してからテレビカメラを装着できるようにする。さらには、可視光下では不可視で紫外光による励起で可視化する情報を可視化するための紫外光光源を配置するようにしてもよい。
【図面の簡単な説明】
【００３３】
【図１】本発明のホログラム読取装置の原理を説明するために真贋判定情報が記録されたホログラムの１例の作用を示す図である。
【図２】ホログラム読取装置の概略外観図である。
【図３】ホログラム読取装置の鉛直方向断面図である。
【図４】ホログラム読取装置から照明用基板だけを取り出して下端側から見た図である。
【図５】複数の遮蔽物体と微小物体の組が記録されているホログラムの作用を示す図である。
【図６】図５のホログラムを読み取るためのホログラム読取装置の照明用基板に配置する点光源アレイを示す図である。
【図７】反射型の体積ホログラムを読み取るためのホログラム読取装置の照明用基板に配置する点光源アレイを示す図である。
【図８】ホログラム読取装置の照明用基板に配置する点光源アレイの別の例を示す図である。
【図９】ホログラム読取装置の照明用基板に配置する点光源アレイのもう１つの例を示す図である。
【図１０】点光源を照明用基板の下面に沿って機械的に移動させることで真贋判定情報を読み取るホログラム読取装置の点光源の移動方向の例を示す図である。
【図１１】点光源をアレイに沿って順次点灯するための機構の例を示す回路図である。
【図１２】点光源を機械的に移動させる機構の例を示す図である。
【図１３】本発明のホログラム読取装置の変形例を説明するための読取装置の断面図と照明用基板の斜視図である。
【符号の説明】
【００３４】
Ｅ…観察眼
１、１1 、１2 …再生照明光
２、２1 、２2 …回折光
１０…ホログラム
１１、１１1 、１１2 …微小物体
１２、１２1 、１２2 …遮蔽物体
２０…ホログラム読取装置
２１…読取装置本体部
２２…遮光性筐体
２２ｕ…遮光性筐体の上端
２２ｄ…遮光性筐体の下端
２３…照明用基板
２４…観察穴
２５…拡大レンズ
２６…制御装置
２７…接続コード
２８…方向決めマーク
２９、２９1 、２９2 、・・・・２９n 、２９ａ、２９ｂ…点光源
２９c …中心の点光源
３０…情報記録媒体
３１…基材
４０、４０1 、４０2 、４０3 、４０4 、４０5 、４０6 …点光源アレイ
４１…ロータリースイッチ
４２…電源
４３1 、４３2 …プーリ
４４…ベルト
４５…モータ
４６…Ｘ−Ｙテーブル
４７ｘ、４７ｙ…モータ
４８…赤外光発光ＬＥＤ
【図１】
0004775552.tif 000002
【図２】
0004775552.tif 000003
【図３】
0004775552.tif 000004
【図４】
0004775552.tif 000005
【図５】
0004775552.tif 000006
【図６】
0004775552.tif 000007
【図７】
0004775552.tif 000008
【図８】
0004775552.tif 000009
【図９】
0004775552.tif 000010
【図１０】
0004775552.tif 000011
【図１１】
0004775552.tif 000012
【図１２】
0004775552.tif 000013
【図１３】
0004775552.tif 000014